(57)【特許請求の範囲】
【請求項１】
フレームと、フレーム同士を連結するジョイントとを組み立ておよび分解可能に備えたフレーム組立構造を備える棚であって、上記ジョイントは上記フレームと連結する箇所に突出状態に設けられた係止突起部を備えており、上記フレームの端部には当該フレームの端面側の開口および当該端面側の開口に繋がる側部のカット部を有する係止凹部が設けられており、当該フレームにおける第１方向からの上記側部のカット部を通じた上記係止突起部の挿入が許容され、上記係止凹部に上記係止突起部を挿入した状態において、上記第１方向と交差する第２方向を回転中心とした上記フレームの回転によって、上記フレームと上記ジョイントとが連結され、
棚板を受ける棚受け部材が上記カット部をカバーする配置で上記フレームに取り付けられ、上記棚受け部材を介して上記棚板が上記フレームによって支持されることを特徴とする棚。
【請求項２】
フレームと、フレーム同士を連結するジョイントとを組み立ておよび分解可能に備えたフレーム組立構造であって、上記ジョイントは上記フレームと連結する箇所に突出状態に設けられた係止突起部を備えており、上記フレームの端部には当該フレームの端面側の開口および当該端面側の開口に繋がる側部のカット部を有する係止凹部が設けられており、当該フレームにおける第１方向からの上記側部のカット部を通じた上記係止突起部の挿入が許容され、上記係止凹部に上記係止突起部を挿入した状態において、上記第１方向と交差する第２方向を回転中心とした上記フレームの回転によって、上記フレームと上記ジョイントとが連結されており、
上記フレームの両端に、上記端面側の開口および上記側部のカット部が形成されており、上記フレームがその両端側に位置する２個のジョイントに対して連結されることを特徴とするフレーム組立構造。
【請求項３】
フレームと、フレーム同士を連結するジョイントとを組み立ておよび分解可能に備えたフレーム組立構造であって、上記ジョイントは上記フレームと連結する箇所に突出状態に設けられた係止突起部を備えており、上記フレームの端部には当該フレームの端面側の開口および当該端面側の開口に繋がる側部のカット部を有する係止凹部が設けられており、当該フレームにおける第１方向からの上記側部のカット部を通じた上記係止突起部の挿入が許容され、上記係止凹部に上記係止突起部を挿入した状態において、上記第１方向と交差する第２方向を回転中心とした上記フレームの回転によって、上記フレームと上記ジョイントとが連結されており、
上記係止突起部は、首部と、この首部により支持され、当該首部の側方に突出する部位を有する頭部とを備えており、
上記首部が接続する、上記頭部の下面部には、第１押圧凸部が形成されており、上記係止凹部に上記係止突起部を挿入した状態にて、上記係止凹部における上記下面部に対向する対向部位には第２押圧凸部が形成されており、かつ、上記フレームと上記ジョイントとの連結位置で第１押圧凸部と上記第２押圧凸部とが当接することを特徴とするフレーム組立構造。
【請求項４】
請求項２または請求項３に記載のフレーム組立構造において、上記ジョイントには、電気線を挿通可能な空洞部が形成されていることを特徴とするフレーム組立構造。
【請求項５】
請求項４に記載のフレーム組立構造において、上記ジョイントの空洞部に電気線が挿通され、上記電気線に接続されたプラグが、上記フレーム内に収容可能とされていることを特徴とするフレーム組立構造。
【請求項６】
請求項４または請求項５に記載のフレーム組立構造において、上記フレームと上記ジョイントとの連結位置で上記空洞部が上記フレーム内と連通することを特徴とするフレーム組立構造。
【請求項７】
請求項４〜請求項６のいずれか１項に記載のフレーム組立構造において、上記フレームの回転範囲から上記電気線を退避させることができる電気線の退避部が上記ジョイントの上記空洞部に連通して形成されることを特徴とするフレーム組立構造。
【請求項８】
フレームと、フレーム同士を連結するジョイントとを組み立ておよび分解可能に備えたフレーム組立構造であって、上記ジョイントは上記フレームと連結する箇所に突出状態に設けられた係止突起部を備えており、上記フレームの端部には当該フレームの端面側の開口および当該端面側の開口に繋がる側部のカット部を有する係止凹部が設けられており、当該フレームにおける第１方向からの上記側部のカット部を通じた上記係止突起部の挿入が許容され、上記係止凹部に上記係止突起部を挿入した状態において、上記第１方向と交差する第２方向を回転中心とした上記フレームの回転によって、上記フレームと上記ジョイントとが連結されており、
上記ジョイントには、電気線を挿通可能な空洞部が形成されており、
上記フレームにはスライド可能にロック部材が設けられており、上記スライドによって上記ロック部材に形成された突出部が上記ジョイントの上記空洞部に入り込むことで、上記フレームの回転が制限されることを特徴とするフレーム組立構造。
【請求項９】
請求項８に記載のフレーム組立構造において、上記フレームの回転が制限された状態で上記ロック部材のスライドが制限されることを特徴とするフレーム組立構造。
【請求項１０】
請求項８または請求項９に記載のフレーム組立構造において、上記ロック部材には上記空洞部の内壁に当たる板部材が設けられていることを特徴とするフレーム組立構造。
【発明の詳細な説明】
【技術分野】
【０００１】
この発明は、フレームと、フレーム同士を連結するジョイントとを組み立ておよび分解可能に備えたフレーム組立構造に関する。
【背景技術】
【０００２】
特許文献１には、物品を載せることが出来ると共に、あらゆる方向へ拡張してその形状大きさを自由に変えることが出来る組立式棚が開示されている。この組立式棚は、複数本のストレートなバー材と複数個の各種ジョイント材および台板から成り、バー材はジョイント材の嵌合部に嵌って互いに連結することでフレームを構成し、該フレームの水平面内に配置されるバー材の上に台板を載せて位置決めして支持するようになっている。
【０００３】
また、特許文献２には、連結増設により全体サイズや形態を変更可能であると共に、組立てや分解が容易であって、増設しても一体的強度保持ができる構造のラック状家具が開示されている。このラック状家具においては、当該文献の文言を用いて述べると、基盤体の上部、下部、左側部、又は右側部に、ねじの形成されたねじ部を有し、該ねじ部は、該ねじ部に螺合するねじの形成されたねじ杆を基盤体の外側からアクセスして螺合可能なように露出しており、そのアクセスしてくる側に増設する増設ユニットのフレーム構造体の、アクセス方向に貫通した貫通孔にねじ杆を挿通させてその端部のねじ部を前記ねじ部に螺合でき、該ねじ杆の反対側の端部には、該ねじ杆と同じねじを有するねじ杆端部のねじ部を外部からアクセス螺合可能に増設ユニットの表面部に露出するねじ部が設けられているか或いは装着できるように構成されている。
【先行技術文献】
【特許文献】
【０００４】
【特許文献１】特開２０１５−６２３７号公報
【特許文献２】特開２００３−６１７５９号公報
【発明の概要】
【発明が解決しようとする課題】
【０００５】
しかしながら、上記従来の棚は、上記フレームをその長手方向と同方向に差し込んで、上記ジョイントに接続する構造となるため、組み立ておよび分解がし難いという欠点があった。
【０００６】
この発明は、上記の事情に鑑み、組み立ておよび分解が容易なフレーム組立構造を提供することを課題とする。
【課題を解決するための手段】
【０００７】
この発明のフレーム組立構造は、上記の課題を解決するために、フレームと、フレーム同士を連結するジョイントとを組み立ておよび分解可能に備えたフレーム組立構造であって、上記ジョイントは上記フレームと連結する箇所に突出状態に設けられた係止突起部を備えており、上記フレームの端部には、当該フレームにおける第１方向からの上記係止突起部の挿入を許容する係止凹部が設けられており、上記係止凹部に上記係止突起部を挿入した状態において、上記第１方向と交差する第２方向を回転中心とした上記フレームの回転によって、上記フレームと上記ジョイントとが連結されることを特徴とする。
【０００８】
上記の構成であれば、上記フレームを上記第１方向から上記ジョイントの係止突起部に近づけて、上記係止凹部に上記係止突起部を挿入させ、この挿入状態で上記フレームを、上記第１方向と交差する第２方向を回転中心にして回転させることによって、上記フレームと上記ジョイントとが連結される。このため、当該フレーム組立構造の組み立ておよび分解において、上記フレームを上記第２方向に差し込む操作が不要になるため、例えば、上記ジョイントを或るフレームに連結したまま、当該フレームと交差関係にある他のフレームを取り外したり、また、取り付けたりすることが、簡単に行えるようになる。
【０００９】
上記係止突起部は、首部と、この首部により支持され、当該首部の側方に突出する部位を有する頭部とを備えてもよい。これによれば、上記頭部の存在により、フレームの抜け防止が図れる。
【００１０】
上記首部が接続する、上記頭部の下面部には、第１押圧凸部が形成されており、上記係止凹部に上記係止突起部を挿入した状態にて、上記係止凹部における上記下面部に対向する対向部位には第２押圧凸部が形成されており、かつ、上記フレームと上記ジョイントとの連結位置で第１押圧凸部と上記第２押圧凸部とが当接してもよい。これによれば、上記第１押圧凸部と上記第２押圧凸部とが当接するため、上記フレームと上記ジョイント４との隙間が無くなり、ガタツキが防止される。
【００１１】
上記ジョイントには、電気線を挿通可能な空洞部が形成されていてもよい。これによれば、ジョイントを介して隣り合うフレーム間に電気線を通すことが可能になる。
【００１２】
上記ジョイントの空洞部に電気線が挿通され、上記電気線に接続されたプラグが、上記フレーム内に収容可能とされていてもよい。これによれば、当該フレーム組立構造から上記プラグが露出状態になることを回避できる。
【００１３】
上記連結位置で上記空洞部が上記フレーム内と連通するようにしてもよい。これによれば、回転による連結によって電気線等が通る連通路が形成されることになる。
【００１４】
上記フレームの回転範囲から上記電気線を退避させることができる電気線の退避部が上記ジョイントの上記空洞部に連通して形成されてもよい。これによれば、上記フレームの回転による上記電気線の損傷を低減することができる。
【００１５】
上記フレームにはスライド可能にロック部材が設けられており、上記スライドによって上記ロック部材に形成された突出部が上記ジョイントの上記空洞部に入り込むことで、上記フレームの回転が制限されるようにしてもよい。これによれば、上記フレームが不所望に回転するのを防止することができる。
【００１６】
上記フレームの回転が制限された状態で上記ロック部材のスライドが制限されてもよい。これによれば、上記ロック部材が不所望にスライドするのを防止することができる。
【００１７】
上記ロック部材には上記空洞部の内壁に当たる板部材が設けられていてもよい。これによれば、上記板部材によって、上記フレームと上記ジョイントとの連結強度を向上させることができる。
【００１８】
これらのフレーム組立構造において、棚板を備え、上記フレームによって上記棚板が支持されてもよい。
【発明の効果】
【００１９】
本発明であれば、組み立ておよび分解が容易である等の諸効果を奏する。
【図面の簡単な説明】
【００２０】
【図１】本発明の実施形態のフレーム組立構造としての棚を示す斜視図である。
【図２】図１の棚で用いられているジョイントを示した斜視図である。
【図３】同図（Ａ）、（Ｂ）、（Ｃ）、（Ｄ）は、図２のジョイントの本体部を示した斜視図である。
【図４】図１の棚で用いられているジョイントを示した斜視図である。
【図５】同図（Ａ）、（Ｂ）、（Ｃ）、（Ｄ）は、図４のジョイントの本体部を示した斜視図である。
【図６】図１の棚で用いられているジョイントを示した斜視図である。
【図７】同図（Ａ）、（Ｂ）、（Ｃ）、（Ｄ）は、図６のジョイントの本体部を示した斜視図である。
【図８】同図（Ａ）、（Ｂ）は、図２等のジョイントに用いられている第１係止突起部を示した斜視図である。
【図９】同図（Ａ）、（Ｂ）は、図２等のジョイントに用いられている第２係止突起部を示した斜視図である。
【図１０】同図（Ａ）、（Ｂ）は、図１の棚で用いられている巾木フレームを示した斜視図である。
【図１１】図１の棚で用いられている縦フレームの本体とカバーを示した斜視図である。
【図１２】図１の棚で用いられている横フレームの本体とカバーを示した斜視図である。
【図１３】同図（Ａ）、（Ｂ）は、図１の棚で用いられている縦フレーム等に設けられる係止凹部を示した斜視図である。
【図１４】同図（Ａ）、（Ｂ）は、係止凹部の第２押圧凸部と第１係止突起部の第１押圧凸部との関係を示した説明図である。
【図１５】縦フレームにジョイントを連結する操作を説明する説明図である。
【図１６】同図（Ａ）は縦フレームにジョイントを連結する操作を説明する説明図であり、同図（Ｂ）は係止凹部に挿入された第１係止突起部の未回転時の状態を示した説明図である。
【図１７】同図（Ａ）は縦フレームにジョイントを連結する操作を説明する説明図であり、同図（Ｂ）は係止凹部に挿入された第１係止突起部の回転時の状態を示した説明図である。
【図１８】同図（Ａ）は、ロック部材を示した斜視図であり、同図（Ｂ）はロック部材の板部材を示した斜視図である。
【図１９】図１の棚におけるジョイントと係止凹部とロック部材との関係を示した説明図である。
【図２０】図１の棚におけるジョイントと係止凹部とロック部材との関係を示した斜視図である。
【図２１】同図（Ａ）は、奥行きフレームの本体を示した斜視図であり、同図（Ｂ）は、奥行きフレームを示した斜視図である。
【図２２】同図（Ａ）、（Ｂ）は、奥行きフレームに用いられている係止凹部を示した斜視図である
【発明を実施するための形態】
【００２１】
図１に示すように、この実施形態のフレーム組立構造としての棚１は、棚板２と、棚板２を支持するフレーム３と、フレーム同士を連結するジョイント４とを備えており、組み立ておよび分解が可能になっている。上記フレーム３には、横フレーム３Ａと、縦フレーム３Ｂと、奥行きフレーム３Ｃと、巾木フレーム３Ｄがある。また、上記ジョイント４には、第１ジョイント４Ａと、第２ジョイント４Ｂと、第３ジョイント４Ｃとがある。また、上記棚板２には、テーブルタップ５が組み込まれるタイプもある。
【００２２】
第１ジョイント４Ａは、図２および図３（Ａ）、図３（Ｂ）、図３（Ｃ）、図３（Ｄ）に示すように、４つの第１連結部４１と、１つの第２連結部４２を備えている。この第１ジョイント４Ａは、上記４つの第１連結部４１のうち、横方向（Ｘ方向）に位置する第１連結部４１において上記横フレーム３Ａに連結し、縦方向（Ｚ方向）に位置する第１連結部４１において上記縦フレーム３Ｂまたは巾木フレーム３Ｄに連結し、奥行き方向（Ｙ方向）に位置する上記第２連結部４２において上記奥行きフレーム３Ｃに連結する。各第１連結部４１には、その突出する方向と同方向に突出する第１係止突起部４３が六角穴付きの固定ボルト４００によって固定されている。上記第１係止突起部４３の突出方向に直交する面による上記第１連結部４１の断面形状は、略六角形状になっている。また、各第１連結部４１には、上記第１係止突起部４３の固定箇所に隣接して空洞部４１ａが形成されており、この空洞部４１ａに連通して退避部４１ｂが形成されている。また、第２連結部４２には、第２係止突起部４４が六角穴付きの固定ボルト４０１によって固定されている。上記第２係止突起部４４の突出方向（Ｙ方向）に直交する面（Ｘ−Ｚ平面）による上記第２連結部４２の断面形状は略四角形状になっている。この四角形状における角辺部は縦方向および横方向に向いている。
【００２３】
上記第２ジョイント４Ｂは、図４および図５（Ａ）、図５（Ｂ）、図５（Ｃ）、図５（Ｄ）に示すように、３つの第１連結部４１と、１つの第２連結部４２を備えている。この第２ジョイント４Ｂは、上記３つの第１連結部４１のうち、横方向（Ｘ方向）に位置する第１連結部４１において上記横フレーム３Ａに連結し、縦方向（Ｚ方向）に位置する第１連結部４１において上記縦フレーム３Ｂまたは巾木フレーム３Ｄに連結し、奥行き方向（Ｙ方向）に位置する上記第２連結部４２において上記奥行きフレーム３Ｃに連結する。各第１連結部４１には、その突出する方向と同方向に突出する第１係止突起部４３が六角穴付きの固定ボルト４００によって固定されている。上記第１係止突起部４３の突出方向に直交する面による上記第１連結部４１の断面形状は、略六角形状になっている。また、各第１連結部４１には、上記第１係止突起部４３の固定箇所に隣接して空洞部４１ａが形成されており、この空洞部４１ａに連通して退避部４１ｂが形成されている。また、第２連結部４２には、第２係止突起部４４が六角穴付きの固定ボルト４０１によって固定されている。上記第２係止突起部４４の突出方向（Ｙ方向）に直交する面（Ｘ−Ｚ平面）による上記第２連結部４２の断面形状は略四角形状になっている。この四角形状における角辺部は上下方向および左右方向に向いている。
【００２４】
上記第３ジョイント４Ｃは、図６および図７（Ａ）、図７（Ｂ）、図７（Ｃ）、図７（Ｄ）に示すように、２つの第１連結部４１と、１つの第２連結部４２を備えている。この第３ジョイント４Ｃは、上記２つの第１連結部４１のうち、横方向（Ｘ方向）に位置する第１連結部４１において上記横フレーム３Ａに連結し、縦方向（Ｚ方向）に位置する第１連結部４１において上記縦フレーム３Ｂに連結し、奥行き方向（Ｙ方向）に位置する上記第２連結部４２において上記奥行きフレーム３Ｃに連結する。各第１連結部４１には、その突出する方向と同方向に突出する第１係止突起部４３が六角穴付きの固定ボルト４００によって固定されている。上記第１係止突起部４３の突出方向に直交する面による上記第１連結部４１の断面形状は、略六角形状になっている。また、各第１連結部４１には、上記第１係止突起部４３の固定箇所に隣接して空洞部４１ａが形成されており、この空洞部４１ａに連通して退避部４１ｂが形成されている。また、第２連結部４２には、第２係止突起部４４が六角穴付きの固定ボルト４０１によって固定されている。上記第２係止突起部４４の突出方向（Ｙ方向）に直交する面（Ｘ−Ｚ平面）による上記第２連結部４２の断面形状は略四角形状になっている。この四角形状における角辺部は上下方向および左右方向に向いている。
【００２５】
上記第ジョイント４の本体、第１係止突起部４３および第２係止突起部４４は、例えば、アルミニウム合金等の金属からなる。
【００２６】
上記第１係止突起部４３は、図８（Ａ）、図８（Ｂ）にも示すように、首部４３２と、この首部４３２により支持され、当該首部４３２の側方に突出する部位を有する頭部４３１とからなり、例えば、上記首部４３２は上記頭部４３１よりも細い形状（小径）とされる。上記頭部４３１は、上記固定ボルト４００の頭部が収容される収容部４３１ａ、およびストッパー突起４３１ｂを有する。また、上記頭部４３１は、上記固定ボルト４００の挿通方向（上記第１係止突起部４３の突出方向）から見て、円弧状の短辺と直線状の長辺を有する略小判形状に形成されている。上記ストッパー突起４３１ｂは、上記小判形状における短辺の側で上記第１係止突起部４３の突出方向と直交する方向に突出している。また、上記首部４３２が接続する上記頭部４３１の下面部であって、上記短辺となる側には、略台形状に突出する第１押圧凸部４３１ｃが１８０度間隔で２箇所に形成されている。また、上記第１係止突起部４３の首部４３２の下端部には切欠き部４３２ａが形成されており、上記ジョイント４に形成されている円形穴内に形成されている凸部と係合することで、位置決めおよび回り止めとなる。
【００２７】
上記第２係止突起部４４は、図９（Ａ）、図９（Ｂ）にも示すように、首部４４２と、この首部４４２により支持され、当該首部４４２の側方に突出する部位を有する頭部４４１とからなり、例えば、上記首部４４２は上記頭部４４１よりも細い形状（小径）とされる。上記頭部４４１は、上記固定ボルト４０１の頭部が収容される収容部４４１ａを有する。また、上記頭部４４１は、上記固定ボルト４０１の挿通方向（上記第２係止突起部４４の突出方向）から見て、円形を有している。また、上記首部４４２が接続する上記頭部４４１の下面部には、略台形状に突出する第１押圧凸部４４１ｃが９０度間隔で４箇所に形成されている。また、上記第２係止突起部４４の首部４４２の下端部には切欠き部４４２ａが形成されており、上記ジョイント４に形成されている円形穴内に形成されている凸部と係合することで、位置決めおよび回り止めとなる。
【００２８】
上記巾木フレーム３Ｄは、図１０（Ａ）、図１０（Ｂ）にも示すように、本体部３１と、アジャスタプレート３２と、アジャスタ３３と、係止凹部３４と、カバー３５とを備える。上記本体部３１に上記カバー３５が装着されると、上記ジョイント４における第１連結部４１の六角形状に合致する六角形状が形成される。また、上記カバー３５が外された状態では、カット部３１ｂが露呈し、上記第１係止突起部４３の挿入および離脱を行うことができる（図１０（Ｂ）ではカット部３１ｂの一部が板部材３６２で塞がれている状態が示されている。）。上記アジャスタプレート３２および上記係止凹部３４は、図示しない螺子によって、上記本体部３１に固定される。また、上記係止凹部３４は例えば樹脂製であり、上記本体部３１は例えばアルミニウム合金等の金属からなる。上記カバー３５は、カバーロック３５１をスライド可能に備えている。上記カバーロック３５１をスライドさせてカバー端から突出させると、この上記カバーロック３５１の先端を上記ジョイント４の上記退避部４１ｂに差し込むことができる。すなわち、上記退避部４１ｂは上記カバーロック３５１の係合部としても機能する。
【００２９】
図１１に縦フレーム３Ｂの本体部３１とカバー３５とを示す。この縦フレーム３Ｂにおいては、上記アジャスタプレート３２およびアジャスタ３３は不要である。この縦フレーム３Ｂにおいては、上記本体部３１の両端に、上記係止凹部３４が設けられ、また、上記カバー３５の両端に、上記カバーロック３５１が設けられる。また、この縦フレーム３Ｂにおいても、上記本体部３１に上記カバー３５が装着されると、上記ジョイント４における上記第１連結部４１の六角形状に合致した六角形状が形成される。上記本体部３１には上記カバー３５に対向して繋ぎ壁部３１ａが形成されている。そして、上記本体部３１の両端箇所では、上記繋ぎ壁部３１ａが切り欠かれて、上記カット部３１ｂが形成されている。また、上記本体部３１の中央箇所では、開口部３１ｃが形成されている。この開口部３１ｃを用いて電源コードのプラグ接続等の処理が行える。
【００３０】
図１２に横フレーム３Ａの本体部３１とカバー３５とを示す。上記横フレーム３Ａは、上記縦フレーム３Ｂよりも長く形成されるが、この縦フレーム３Ｂと同様に、その本体部３１の両端に、上記係止凹部３４が設けられる。また、この横フレーム３Ａの本体部３１にも、繋ぎ壁部３１ａが形成される。そして、上記本体部３１の両端箇所では、上記繋ぎ壁部３１ａが切り欠かれて、カット部３１ｂが形成される。また、上記本体部３１の中央箇所では、上記開口部３１ｃが形成される。上記横フレーム３Ａでは、上記カバー３５は取り付けられず、図示しない棚受け部材が取り付けられるようになっている。上記棚受け部材は、例えば、上記本体部３１の端面からスライドさせて、本体部３１に取り付けることができる。上記棚板２は、上記棚受け部材によって支持される。
【００３１】
なお、上記巾木フレーム３Ｄにおいても、上記繋ぎ壁部３１ａおよび上記カット部３１ｂが形成されるが、上記カット部３１ｂは上記係止凹部３４が設けられる側の１箇所に形成される。また、上記開口部３１ｃは形成されていない。
【００３２】
また、図１に示したように、上記横フレーム３Ａのうち、奥に配置される横フレーム３Ａにおいては、上面側に開口が形成されており、この開口を利用してテーブルタップ５やＵＳＢ充電器５Ａ等を設置できるようにしてもよい。
【００３３】
上記係止凹部３４は、第２方向（上記フレーム３（３Ａ，３Ｂ，３Ｄ）の長手方向）と交差する第１方向からの上記第１係止突起部４３の挿入を許容し且つこの挿入後の上記第２方向（長手方向）を回転中心とした上記フレーム３の回転、換言すれば、上記第１係止突起部４３を回転中心とした回転によって上記第１係止突起部４３を係止する。この係止凹部３４は、図１３に示すように、上記フレーム３の端部に固定されるフランジ部３４１と、上記フレーム３の端部の内部に入り込んで位置する受け部３４２とを有する。上記係止凹部３４には、上記第１係止突起部４３の上記首部４３２の通過を許容する収容開口部３４１ａが形成されている。また、上記受け部３４２には、上記第１係止突起部４３の頭部４３１の短辺での通過を許容し、長辺での通過を制限する通過部位３４２ａが上記収容開口部３４１ａに隣接して形成されている。また、上記受け部３４２には、上記フレーム３の回転による上記頭部４３１の相対回転を許容する空間部３４２ｂが形成されている。
【００３４】
また、上記フランジ部３４１には、後述するロック部材３６を通過させる扁平通過部３４１ｂが形成されており、上記受け部３４２には、上記フレーム３（３Ａ，３Ｂ，３Ｄ）の過回転を防止する過回転防止部３４２ｃが形成されている。この過回転防止部３４２ｃに上記ストッパー突起４３１ｂが当たることで、上記フレーム３（３Ａ，３Ｂ，３Ｄ）の過回転が防止される。
【００３５】
上記係止凹部３４の空間部３４２ｂには、上記頭部４３１の上記下面部に対向する対向部位が存在しており、この対向部位には、略台形状に突出する第２押圧凸部３４２ｄが１８０度間隔で２箇所に形成されている。また、先述したように、上記頭部４３１の下面部には、略台形状に突出する第１押圧凸部４３１ｃが１８０度間隔で２箇所に形成されている。上記フレーム３（３Ａ，３Ｂ，３Ｄ）における上記係止凹部３４に上記第１係止突起部４３を挿入した時点では、図１４（Ａ）に示すように、第１押圧凸部４３１ｃと上記第２押圧凸部３４２ｄとは接触しないが、上記フレーム３（３Ａ，３Ｂ，３Ｄ）の回転による連結位置（上記係止凹部３４に上記第１係止突起部４３を挿入した後の９０度回転位置）では、図１４（Ｂ）に示すように、第１押圧凸部４３１ｃと上記第２押圧凸部３４２ｄとが接触する。
【００３６】
各第１連結部４１に形成されている上記空洞部４１ａは、上記ジョイント４内で互いに連通しており、図１５に示すように、上記空洞部４１ａ内に電気線として電源コード７を通すことができる。そして、上記電源コード７に接続された雄側プラグ７１および雌側プラグ７２が上記ジョイント４の外に設けられており、上記フレーム３内に上記プラグ７１、７２を収容することができる。
【００３７】
図１５、図１６および図１７では、上記ジョイント４（４Ｂ）の上記第１係止突起部４３に上記フレーム３（３Ｂ）を連結するときの様子を示しているが、他のジョイントおよび他のフレームの連結も同様に行われることになる。
【００３８】
図１５に示したように、上記ジョイント４（４Ｂ）の上記第１係止突起部４３に上記フレーム３（３Ｂ）を装着する際には、上記頭部４３１の円弧状の短辺側を上記カット部３１ｂに向ける。また、上記カット部３１ｂに向ける上記短辺側は、上記ストッパー突起４３１ｂが形成されていない方とする。
【００３９】
そして、図１６（Ａ）、図１６（Ｂ）に示すように、上記第１係止突起部４３を、上記フレーム３（３Ｂ）の上記カット部３１ｂおよび上記係止凹部３４の収容開口部３４１ａを通して、上記受け部３４２に入れる。このとき、上記頭部４３１は上記空間部３４２ｂに入り込み、上記フレーム３の回転による上記頭部４３１の相対回転が許容される。
【００４０】
さらに、図１７（Ａ）、図１７（Ｂ）に示すように、上記フレーム３（３Ｂ）を、上記第１係止突起部４３（第２方向）を回転軸として、上記ジョイント４（４Ｂ）に対し、当該フレーム３（３Ｂ）の装着方向に９０度回転させて、上記フレーム３（３Ｂ）と上記ジョイント４（４Ｂ）との連結を完成させる。この際には、上記電源コード７を上記退避部４１ｂに退避させることができる。すなわち、上記フレーム３の回転範囲から上記電源コード７を上記退避部４１ｂに退避させることができる。上記フレーム３（３Ｂ）の装着方向の回転による連結完成によって、上記空洞部４１ａが上記フレーム３（３Ｂ）内に連通する。また、上記回転による連結完成では、図１４（Ｂ）、図１７（Ｂ）に示したように、上記頭部４３１の長辺の方向が９０度回転し、上記第１係止突起部４３が上記係止凹部３４から外れる方向の移動も阻止される。さらに、上記回転による連結後にカバー３５を取り付けると、上記フレーム３における六角形の各面と上記第１連結部４１の六角形の各面とが略面一となる。上記フレーム３の取り付けや上記カバー３５の取り付けには、特に工具は必要とされない。
【００４１】
また、上記フレーム３の本体部３１には、その長手方向にロック部材３６がスライド可能に設けられている。上記ロック部材３６は、図１８（Ａ）、図１８（Ｂ）にも示すように、ロック本体３６１に例えば金属製の板部材３６２が組み込まれてなる。上記ロック本体３６１は、例えば樹脂からなり、上記板部材３６２を収容する収容部を有しており、また、上記板部材３６２の上側に位置する突出部３６３を、上記板部材３６２の両縁近傍に備えている。各突出部３６３は、その基部において上記フランジ部３４１の上記扁平通過部３４１ｂの横箇所に当たる基端部位３６ａを有し、先端側には、上記扁平通過部３４１ｂを越えて上記空洞部４１ａ内に入る先端部位３６ｂを有する。上記先端部位３６ｂは湾曲形成されており、上記板部材３６２の内側方向に撓むことができる。
【００４２】
上記ロック部材３６を上記フレーム３の端から突出するようにスライドさせると、図１９および図２０に示すように、上記基端部位３６ａが上記フランジ部３４１の上記扁平通過部３４１ｂの横箇所に当たり、位置決めされる。また、上記突出部３６３の上記先端部位３６ｂは、上記扁平通過部３４１ｂを通過して、上記フランジ部３４１の裏側に位置し、当該ロック部材３６は、上記係止凹部３４に係止され、抜け方向のスライドが防止される。
【００４３】
また、上記ロック部材３６を上記フレーム３の端から突出するようにスライドさせると、上記板部材３６２が上記空洞部４１ａ内に入り込む。上記板部材３６２は、その幅が上記空洞部４１ａの幅と略同一とされており、上記空洞部４１ａの内壁に当たった状態で位置すると、上記フレーム３の外れ方向の回転を制限し、且つ上記フレーム３と上記ジョイント４との連結強度を向上させる。
【００４４】
上記奥行きフレーム３Ｃは、図２１（Ａ）、図２１（Ｂ）に示すように、四角筒形状の本体部３００１と、この本体部３００１の両端に設けられた係止凹部３００２と、上記本体部３００１の両端に形成されたカット部３００１ａを覆うカバー３００３とを備えている。上記本体部３００１における四角形の大きさは、上記第２連結部４２の断面四角形状の大きさに対応している。
【００４５】
上記係止凹部３００２は、図２２（Ａ）、図２２（Ｂ）に示すように、上記係止凹部３４と同様に、上記奥行きフレーム３Ｃの端部に固定されるフランジ部３０１２と、上記奥行きフレーム３Ｃの端部の内部に入り込んで位置する受け部３０２２とを有する。また、上記係止凹部３００２には、上記第２係止突起部４４の上記首部４４２の通過を許容する収容開口部３００２ａが形成されている。また、上記受け部３０２２の奥端側（フレーム内部側）に上記第２係止突起部４４の頭部４４１が収容される。
【００４６】
上記係止凹部３００２の受け部３０２２には、上記第２係止突起部４４の上記頭部４４１の上記下面部に対向する対向部位（上記受け部３０２２の奥端面）が存在しており、この対向部位には、略台形状に突出する第２押圧凸部３０２２ａが９０度間隔で２箇所に形成されている。また、先述したように、上記第２係止突起部４４の頭部４４１の下面部には、略台形状に突出する第１押圧凸部４４１ｃが９０度間隔で４箇所に形成されている。上記奥行きフレーム３Ｃの回転による連結位置（上記係止凹部３００２に上記第２係止突起部４４を挿入した後の４５度回転位置）において、第１押圧凸部４４１ｃと上記第２押圧凸部３０２２ａとが接触する。上記奥行きフレーム３Ｃにおいては、４５度回転させることで、上記ジョイント４との連結が完成し、上記フレーム３における四角形の各面と上記第２連結部４２の四角形の各面とが略面一となる。
【００４７】
上記の構成であれば、上記フレーム３をその長手方向と交差する方向（第１方向）から上記ジョイント４の第１、第２係止突起部４３、４４に近づけて、上記係止凹部３４、３００２に上記係止突起部４３、４４を挿入させ、この挿入状態で上記フレーム３を、第２方向を回転中心にして（係止突起部４３、４４を回転中心にして）に回転させることによって、上記フレーム３と上記ジョイント４との連結が完成される。このため、当該棚１の組み立ておよび分解において、上記フレーム３をその長手方向と平行な方向に差し込む操作が不要になるため、例えば、上記ジョイント４を或るフレーム３に連結したまま、当該フレーム３と交差関係にある他のフレーム３を取り外したり、また、取り付けたりすることが、簡単に行えるようになる。
【００４８】
上記第１、第２係止突起部４３、４４は、頭部４３１、４４１と、この頭部を支持する首部４３２、４４２とを備えると、上記頭部４３１、４４１の存在により、フレームの抜け防止が図れる。
【００４９】
上記フレーム３の回転による連結位置で第１押圧凸部４３１ｃ、４４１ｃと上記第２押圧凸部３４２ｄ，３０２２ａとを接触させるようにすると、上記第１、第２係止突起部４３、４４と上記係止凹部３４、３００２との隙間が無くなり、上記フレーム３と上記ジョイント４との間のガタツキが防止される。
【００５０】
上記第１、第２係止突起部４３、４４を金属製とし、上記係止凹部３４、３００２を樹脂製にすると、金属同士の接触による不快音等が組立時或いは分解時に発生するのを防止できる。
【００５１】
上記ジョイント４に、電源コード７を挿通可能な空洞部４１ａが形成されていると、ジョイント４を介して隣り合うフレーム３間に電源コード７を通すことが可能になる。
【００５２】
上記ジョイント４の空洞部４１ａに電源コード７が挿通され、上記電源コード７に接続されたプラグ７１、７２が、上記フレーム３内に収容可能とされていると、当該棚１から上記プラグ７１、７２が露出状態になることを回避できる。
【００５３】
上記フレーム３の回転による連結位置で上記空洞部４１ａが上記フレーム３内に連通すると、この回転による連結によって電源コード７等が通る連通路が形成されることになる。
【００５４】
上記フレーム３の回転範囲から上記電源コード７を退避させることができる電源コード７の退避部４１ｂが上記ジョイント４の上記空洞部４１ａに連通して形成されていると、上記フレームの回転による上記電源コードの損傷を低減することができる。なお、電気線として電源コード７を例示したが、このような電源コード７に限らず、他の電源配線でもよいし、また、電気線には、ＬＡＮ（Local Area Network）ケーブルなどの電気信号線が含まれる。また、プラグには、電源プラグの他、信号線用のプラグ等も含まれる。
【００５５】
上記フレーム３にスライド可能に設けられたロック部材３６の突出部３６３が上記ジョイントの上記空洞部４１ａの内に入って上記フレーム３の回転が制限されると、上記フレーム３が不所望に回転するのを防止することができる。
【００５６】
上記フレーム３の回転制限状態で上記ロック部材３６の抜け方向のスライドが制限されると、上記ロック部材３６が不所望にスライドするのを防止することができる
【００５７】
上記ロック部材３６に上記空洞部４１ａの内壁に当たる板部材３６２が設けられていると、上記板部材３６２によって、上記フレーム３と上記ジョイント４との連結強度を向上させることができる。
【００５８】
なお、上記の実施形態においては、上記受け部３４２には、上記フレーム３（３Ａ，３Ｂ，３Ｄ）の過回転を防止する過回転防止部３４２ｃを形成し、この過回転防止部３４２ｃに上記ストッパー突起４３１ｂが当たることで、上記フレーム３（３Ａ，３Ｂ，３Ｄ）の過回転が防止されるが、過回転を許容する構造を採用してもよい。これは、ユーザーが過回転防止機構を知らずに強い力で上記フレーム３（３Ａ，３Ｂ，３Ｄ）を回転させようとした場合の破損を防止するためである。
【００５９】
過回転を許容する構造としては、上記過回転防止部３４２ｃを設けない構造を採用できる。また、このような構造において、上記ストッパー突起４３１ｂを残し、このストッパー突起４３１ｂが上記受け部３４２に当たる構造としておくことにより、上記フレーム３の長手方向の抜け防止力を高める構造を維持することができる。
【００６０】
また、図１に示した組み立て状態は一例であって、これに棚板を横或いは縦に増設したり、また、他のデザインに組み立てることができる。また、巾木フレーム３Ｄ間に巾木を取り付けたデザインとすることもできる。
【００６１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００６２】
１          ：棚（フレーム組立構造）
２          ：棚板
３          ：フレーム
３Ａ        ：横フレーム
３Ｂ        ：縦フレーム
３Ｃ        ：奥行きフレーム
３Ｄ        ：巾木フレーム
４          ：ジョイント
４Ａ        ：第１ジョイント
４Ｂ        ：第２ジョイント
４Ｃ        ：第３ジョイント
５          ：テーブルタップ
７          ：電源コード（電気線）
３１        ：本体部
３１ａ      ：繋ぎ壁部
３１ｂ      ：カット部
３１ｃ      ：開口部
３４        ：係止凹部
３５        ：カバー
３６        ：ロック部材
３６ａ      ：基部部位
３６ｂ      ：先端部位
４１        ：第１連結部
４１ａ      ：空洞部
４１ｂ      ：退避部
４２        ：第２連結部
４３        ：第１係止突起部
４４        ：第２係止突起部
７１        ：雄側プラグ
７２        ：雌側プラグ
３４１      ：フランジ部
３４１ａ    ：収容開口部
３４１ｂ    ：扁平通過部
３４２      ：受け部
３４２ｂ    ：空間部
３４２ｃ    ：過回転防止部
３４２ｄ    ：第２押圧凸部
３５１      ：カバーロック
３６１      ：ロック本体
３６２      ：板部材
３６３      ：突出部
４００      ：固定ボルト
４０１      ：固定ボルト
４３１      ：頭部
４３１ａ    ：収容部
４３１ｂ    ：ストッパー突起
４３１ｃ    ：第１押圧凸部
４３２      ：首部
４３２ａ    ：切欠き部
４４１      ：頭部
４４１ａ    ：収容部
４４１ｃ    ：第１押圧凸部
４４２      ：首部
４４２ａ    ：切欠き部
３００１    ：本体部
３００１ａ  ：カット部
３００２    ：係止凹部
３００２ａ  ：収容開口部
３００３    ：カバー
３０１２    ：フランジ部
３０２２    ：受け部
３０２２ａ  ：第２押圧凸部
【図１】
0006506145.tif 000002
【図２】
0006506145.tif 000003
【図３】
0006506145.tif 000004
【図４】
0006506145.tif 000005
【図５】
0006506145.tif 000006
【図６】
0006506145.tif 000007
【図７】
0006506145.tif 000008
【図８】
0006506145.tif 000009
【図９】
0006506145.tif 000010
【図１０】
0006506145.tif 000011
【図１１】
0006506145.tif 000012
【図１２】
0006506145.tif 000013
【図１３】
0006506145.tif 000014
【図１４】
0006506145.tif 000015
【図１５】
0006506145.tif 000016
【図１６】
0006506145.tif 000017
【図１７】
0006506145.tif 000018
【図１８】
0006506145.tif 000019
【図１９】
0006506145.tif 000020
【図２０】
0006506145.tif 000021
【図２１】
0006506145.tif 000022
【図２２】
0006506145.tif 000023